(57)【要約】      （修正有）【課題】高い熱伝導率と所定間隔置きに並列せしめて隙間を設け、パソコン等から発生する高い温熱を載置台を構成するアルミニウム資材製の載置台小片が吸収し、小型ファンの作用によって効果的に放熱せしめるようにした。【解決手段】ゲーム機・パソコンを載置せしめる載置台Ａの表面部に、小型ファンａを送風方向が床面方向として取着せしめ、前記載置台Ａが、アルミニウム板材の載置台小片２をもって形成せしめた。また、前記ゲーム機・パソコン用載置台Ａが、両端縁部を対称的に折曲して脚部を形成の細長形状のアルミニウム板材の載置台小片２を隙間９を設けて複数本を並列せしめ、前記並列する載置台小片２に対し、別設するアルミニウム板材の両端縁部を対称的に折曲し脚部を有し、且細長形状の固定用載置台小片を交叉状に接続せしめ組立てる。【選択図】 図２
0003138066.tif 000002
【実用新案登録請求の範囲】
【請求項１】
ゲーム機・パソコンを載置せしめる載置台Ａの表面部１に、小型ファンａを前記小型ファンａの送風方向が床面方向として取着せしめることを特徴とするゲーム機・パソコン用載置台。
【請求項２】
前記ゲーム機・パソコン用載置台Ａが、アルミニウム板材の載置台小片２をもって形成せしめることを特徴とする請求項１記載のゲーム機・パソコン用載置台。
【請求項３】
前記ゲーム機・パソコン用載置台Ａが、両端縁部を対称的に折曲して脚部３を形成の細長形状のアルミニウム板材の載置台小片２を隙間９を設けて複数本を並列せしめ、前記並列する載置台小片２に対し、別設するアルミニウム板材の両端縁部を対称的に折曲し脚部５を有し、且細長形状の固定用載置台小片４を交叉状に接続せしめ組立てることを特徴とする請求項１又は同２記載のゲーム機・パソコン用載置台。
【請求項４】
前記ゲーム機・パソコン用載置台Ａの固定用載置台小片４の脚部５が、前記並列状の載置台小片２の脚部３の底面部６より床面方向に突出し、前記並列状の載置台小片２を浮き上り状にして組立てることを特徴とする請求項１又は同２又は同３記載のゲーム機・パソコン用載置台。
【請求項５】
前記固定用載置台小片４の左側端部７と右側端部８とが、前記並列状の載置台小片２の外側方に位置する脚部３よりも飛出して組立てることを特徴とする請求項１又は同２又は同３又は同４記載のゲーム機・パソコン用載置台。
【考案の詳細な説明】
【技術分野】
【０００１】
本考案は、ゲーム機、パソコン、レコーダー類もしくは電化製品を載置せしめるゲーム機・パソコン用載置台の技術分野に関するものである。
【背景技術】
【０００２】
従来、第１にパソコン用載置台として、特開平７−３１１６３２号公開特許公報が開示されているが、前記のパソコン用載置台は、板材に多数の通気孔１ｂを形成した構成である。
【０００３】
そのため、パソコンから発生した高温の熱を上面に形成の前記通気孔１ｄのみから放出させる程度で、前記高温の熱を外部にスムーズに放出させることができない構造であると共に、高温の熱は常時内部に蓄えられている。
【０００４】
さらに、第２にノートブックコンピューター用放熱台として、実用新案登録第３１２２０５１号登録実用新案公報が開示されているが、金属板製設置台１０に通風口１４が形成され、放熱ファン３０が内蔵されている構造である。
【０００５】
そのため、ノートブックコンピューターによって発生の高温は、ファン３０の作用によって通気口１４からしか放出させることができず、常時前記設置台１０内に蓄えられている。
【０００６】
第３に、マルチメディア機能付き放熱装置として、実用新案登録第３１２３５７９号登録実用新案公報が開示されているが、この放熱装置Ａは、箱形状の殻体Ｂ内にファンｃを内蔵して透過孔Ｂ１から放熱せしめる構造である。
【０００７】
そのため、前記殻体Ｂ内の高温は、ファンｃの作用によって前記透過孔Ｂ１から放出せしめられるが、前記透過孔Ｂが上向きに設けられているがために、前記殻体Ｂ内に内蔵の高温を確実に放出せしめることができず、前記殻体Ｂ内に常時蓄えられている。
【特許文献１】特開平７−３１１６３２号公開特許公報
【特許文献２】実用新案登録第３１２２０５１号登録実用新案公報
【特許文献３】実用新案登録第３１２３５７９号登録実用新案公報
【考案の開示】
【考案が解決しようとする課題】
【０００８】
しかるに、本考案のゲーム機・パソコン用載置台は、高い熱伝導率と所定間隔置きに並列せしめて隙間を設け、前記パソコン等から発生する高い温熱を前記載置台を構成するアルミニウム資材製の載置台小片が吸収し、小型ファンの作用によって効果的に放熱せしめるようにした。
【０００９】
さらに、第２に本考案のゲーム機・パソコン用載置台は、放熱ファンの風向きが床面側に送風されるようにして設置せしめて、風の流れをスムーズにして高い温熱を効果的に放出せしめ、前記載置台周辺の温度を常時低温化して、前記載置台の上面に設置のパソコン等の高い温熱のクールダウン化を図った。
【課題を解決するための手段】
【００１０】
課題を解決するための手段として、請求項１記載の考案は、ゲーム機・パソコンを載置せしめる載置台Ａの表面部１に、小型ファンａを前記小型ファンａ送風方向が床面方向として取着せしめることを特徴とするゲーム機・パソコン用載置台である。
【００１１】
課題を解決するための手段として、請求項２記載の考案は、前記ゲーム機・パソコン用載置台Ａが、アルミニウム板材の載置台小片２をもって形成せしめることを特徴とする請求項１記載のゲーム機・パソコン用載置台である。
【００１２】
課題を解決するための手段として、請求項３記載の考案は、前記ゲーム機・パソコン用載置台Ａが、両端縁部を対称的に折曲して脚部３を形成の細長形状のアルミニウム板材の載置台小片２を隙間９を設けて複数本を並列せしめ、前記並列する載置台小片２に対し、別設するアルミニウム板材の両端縁部を対称的に折曲し脚部５を有し、且細長形状の固定用載置台小片４を交叉状に接続せしめ組立てることを特徴とする請求項１又は同２記載のゲーム機・パソコン用載置台である。
【００１３】
課題を解決するための手段として、請求項４記載の考案は、前記ゲーム機・パソコン用載置台Ａの固定用載置台小片４の脚部５が、前記並列状の載置台小片２の脚部３の底面部６より床面方向に突出し、前記並列状の載置台小片２を浮き上り状にして組立てることを特徴とする請求項１又は同２又は同３記載のゲーム機・パソコン用載置台である。
【００１４】
課題を解決するための手段として、請求項５記載の考案は、前記固定用載置台小片４の左側端部７と右側端部８とが、前記並列状の載置台小片２の外側方に位置する脚部３よりも飛出して組立てることを特徴とする請求項１又は同２又は同３又は同４記載のゲーム機・パソコン用載置台である。
【考案の効果】
【００１５】
請求項１記載の考案は、ゲーム機・パソコンを載置せしめる載置台Ａの表面部１に、小型ファンａを前記小型ファンａの送風方向が床面方向として取着せしめるゲーム機・パソコン用載置台なので、ゲーム機もしくはパソコンもしくはレコーダー類もしくは過酷な使用環境下にある電化製品から発散する高温を常時ファンの作用によって外部に放出し、載置している前記各種機器の損傷を未然に防止せしめた。
【００１６】
さらに本考案は、前記ファンの風向きを床面方向に放出されるようにして、前記載置台の周辺に発生する高い温熱を外部に放出し、前記載置台周辺の低温化を図った。
【００１７】
請求項２記載の考案は、前記ゲーム機・パソコン用載置台Ａが、アルミニウム板材の載置台小片２をもって形成せしめるゲーム機・パソコン用載置台なので、載置台小片をアルミニウム資材製の板材を加工して脚部を設けて、パソコン等の機器から発生する高い温熱を吸収し、温度を低下せしめると共に、小型ファンの回動によって前記機器から発生する高い温熱がすのこ状になって形成される隙間から放熱し前記機器のほてりをクールダウンせしめる利点を有している。
【００１８】
さらに、本考案は、前記請求項１記載の考案と同じ効果を有している。
【００１９】
請求項３記載の考案は、前記ゲーム機・パソコン用載置台Ａが、両端縁部を対称的に折曲して脚部３を形成の細長形状のアルミニウム板材の載置台小片２を隙間９を設けて複数本を並列せしめ、前記並列する載置台小片２に対し、別設するアルミニウム板材の両端縁部を対称的に折曲し脚部５を有し、且細長形状の固定用載置台小片４を交叉状に接続せしめ組立てるゲーム機・パソコン用載置台なので、前記請求項１又は同２記載の考案と同じ効果を有している。
【００２０】
請求項４記載の考案は、前記ゲーム機・パソコン用載置台Ａの固定用載置台小片４の脚部５が、前記並列状の載置台小片２の脚部３の底面部６より床面方向に突出し、前記並列状の載置台小片２を浮き上り状にして組立てるゲーム機・パソコン用載置台なので、前記請求項１又は同２又は同３記載の考案と同じ効果を有している。
【００２１】
請求項５記載の考案は、前記固定用載置台小片４の左側端部７と右側端部８とが、前記並列状の載置台小片２の外側方に位置する脚部３よりも飛出して組立てるゲーム機・パソコン用載置台なので、前記請求項１又は同２又は同３又は同４記載の考案と同じ効果を有している。
【考案を実施するための最良の形態】
【００２２】
本考案の請求項１〜５記載の考案に関する実施の形態は共通しているので、以下のとおり一括して説明する。
【００２３】
図面において、Ａはゲーム機・パソコン載置台であり、以下の構成からなっている。
【００２４】
ａは小型ファンであり、前記載置台Ａの裏面部１の所定個所に、送風する風向が床面方向になるように、１ヶないし複数取着する。
【００２５】
前記載置台Ａを構成する載置台小片２は、細長形状のアルミニウム板材の両端端部を対称的に折曲して脚部３を図面図示の形状にて形成する。そして、前記載置台小片２は、所定の隙間９を開けて複数本を並列する。
【００２６】
前記のように並列せしめる載置台小片２は、パソコンＢの幅員程度とする。
【００２７】
そして前記載置台小片２の脚部３の左側方と右側方に、前記各脚部３の底面３ａより切り込み切欠する凹部３ｂを設ける。３ｃは前記脚部３の間に形成のエアー排出通路部である。
【００２８】
さらに、前記載置台小片２とは別個に、固定用載置台小片４を別設する。
【００２９】
前記固定用載置台小片４は、細長形状のアルミニウム板材の両端縁部を対称的に折曲して脚部５を形成する。
【００３０】
５ａはエアー排出通路部である。
【００３１】
前記のように複数本の小片４を隙間９を設けて並列せしめた後、載置台小片２の凹部３ｂに、前記固定用載置台小片４を嵌挿し固定する。
【００３２】
その際、前記載置台小片４の脚部５が、前記載置台小片２の脚部３の底面３ａより床面方向に飛出し、前記並列状の載置台小片２が若干浮上り状にて組立てられる。
【００３３】
さらに、前記固定用載置台小片４の左側端部７と右側端部８とが、前記載置台小片２の中、左右両サイドの前記載置台小片２の外側方に位置する脚部３より、若干飛出し組立てられる。
【００３４】
そして、上記載置台小片２と固定用載置台小片４とを交叉状にして組立てる。さらに、小型ファンａは、図面上２個取着しているが、限定しない。
【００３５】
そして、前記小型ファンａは、組立てられた本考案の載置台Ａを構成する所定位置の載置台小片２の脚部３を切欠して取着する。
【００３６】
また、前記小型ファンａは、パソコン使用の場合は、ＵＳＢ電源とするのが好適である。
【００３７】
１０は前記ＵＳＢ接続用のコードである。
【００３８】
本考案の載置台にパソコンＢ等を載置したときの作用を説明する。
【００３９】
前記パソコンＢから放出する高い温熱は、下方の載置台に伝導する。そのとき、載置台小片２がアルミニウム板材のため、高温の熱を吸収する。そのため、温度は１〜７℃程度も低下し冷却効果を著しく高める。
【００４０】
さらに、小型ファンａの回転によって、風が床面方向に放出し、前記した機器より発生する高い温熱は、前記載置台小片２の隙間９と脚部３間に形成のエアー排出通路部３ｃより、外部に輩出されて温度は下降する。
【００４１】
また、小型ファンａの回転により高い温熱は、固定用載置台小片４によって、遮断されて、パソコンＢを操作中の操作者の方向に排出されない。
【００４２】
そのため不快感はなく安心して作業できる。
【図面の簡単な説明】
【００４３】
【図１】本考案ゲーム機・パソコン用載置台にパソコンが載置している状態の説明斜視図である。
【００４４】
【図２】同載置台にパソコンが載置しているときの説明平面図である。
【００４５】
【図３】同載置台を示した平面図である。
【００４６】
【図４】同載置台を示した底面図である。
【００４７】
【図５】同載置台を示した正面図である。
【００４８】
【図６】同載置台を示した右側面図である。
【符号の説明】
【００４９】
Ａ      載置台
Ｂ      パソコン
ａ      小型ファン
１      裏面部
２      小片
３      脚部
３ａ    底部
３ｂ    凹部
３ｃ    エアー排出通路部
４      小片
５      脚部
５ａ    エアー排出通路部
７      左側端部
８      右側端部
９      隙間
１０    コード
【図１】
0003138066.tif 000003
【図２】
0003138066.tif 000004
【図３】
0003138066.tif 000005
【図４】
0003138066.tif 000006
【図５】
0003138066.tif 000007
【図６】
0003138066.tif 000008